(57)【要約】【課題】ドアの厚肉化、ドアの重量増加を抑制するのに有利なドア装置及びドア用ベースを提供する。【解決手段】ドア装置１は、構造物の開口部を開閉可能なドア４と、構造物の開口部に取り付けられドア４の底面４４または上面に対面するベース３とを具備する。ベース３は、ドア４の底面４４または上面に対して接近可能及び離間可能に設けられた可動部材５と、ドア４が構造物の開口部を閉鎖するときに作動して可動部材５をドア４の底面４４または上面に接近させることにより、ドア４の底面４４または上面とベース３との間の隙間量を減少または消失させる可動部材作動手段６とを有する。【選択図】図３
2006089920.tif 000002
【特許請求の範囲】
【請求項１】
構造物の開口部を開閉可能なドアと、前記構造物の前記開口部に取り付けられ前記ドアの底面または上面に対面するベースとを具備するドア装置において、
前記ベースは、前記ドアの底面または上面に対して接近可能及び離間可能に設けられた可動部材と、
前記ドアが前記構造物の前記開口部を閉鎖するときに作動して前記可動部材を前記ドアの底面または上面に接近させることにより、前記ドアの底面または上面と前記ベースとの間の隙間量を減少または消失させる可動部材作動手段とを具備することを特徴とするドア装置。
【請求項２】
請求項１において、前記ドアが前記構造物の前記開口部を閉鎖することを検出するドア閉鎖検出手段が設けられており、前記可動部材作動手段は、前記ドア閉鎖検出手段の検出に伴い前記可動部材を作動させて前記ドアの底面または上面と前記ベースとの間の隙間を減少または消失させることを特徴とするドア装置。
【請求項３】
請求項１または請求項２において、前記可動部材作動手段は、前記構造物の前記開口部を閉鎖している前記ドアが開放される開放初期には、前記可動部材を前記ドアの底面または上面に非接触とすることを特徴とするドア装置。
【請求項４】
構造物の開口部を開閉可能なドアの底面または上面に対面するように前記構造物の前記開口部に取り付けられるドア用ベースにおいて、
前記ベースは、前記ドアの底面または上面に対して接近可能及び離間可能に設けられた可動部材と、
前記ドアが前記構造物の前記開口部を閉鎖するときに作動して前記可動部材を前記ドアの底面または上面に接近させることにより、前記ドアの底面または上面と前記ベースとの間の隙間量を減少または消失させる可動部材作動手段とを具備することを特徴とするドア用ベース。
【発明の詳細な説明】
【技術分野】
【０００１】
本発明はドア装置及びドア装置に用いられるドア用ベースに関する。
【背景技術】
【０００２】
特許文献１には、床段差のない出入口に好適に用いられるものであって、ドアのドア底面と床面との間の隙間を無くすべく、可動式の遮音部材をドアのドア底面に取り付けたドア装置が記載されている。このものによれば、ドア閉鎖時には、可動式の遮音部材を下降させてドアのドア底面と床面との間の隙間を閉鎖することにしている。
【特許文献１】特開平８−２８４５４６号公報
【発明の開示】
【発明が解決しようとする課題】
【０００３】
上記した特許文献１に係るドア装置によれば、ドアの底面側に可動式の遮音部材を取り付けており、ドア閉鎖時に、可動式の遮音部材を下降させ、ドアの底面と床面との間の隙間を閉鎖する。このためドア閉鎖時において、ドアの底面と床面との間における遮音性を高めることができる。更に、ドアの底面と床面との間における遮光性を高めることができる。
【０００４】
しかしながらドアの底面付近の内部では、スペース的な制約が大きい。殊に、ドアの底面に車輪が設けられているときには、車輪を取り付けるスペースが必要とされるため、更なるスペース的な制約がある。このため可動式の遮音部材をドアの底面に取り付けると、ドアが過剰に厚肉化したり、あるいは、ドアの重量が過剰に増加したりする問題がある。
【０００５】
本発明は上記した実情に鑑みてなされたものであり、ドアの厚肉化、ドアの重量増加を抑制するのに有利なドア装置及びドア用ベースを提供することを課題とするにある。
【課題を解決するための手段】
【０００６】
本発明に係るドア装置は、構造物の開口部を開閉可能なドアと、前記構造物の前記開口部に取り付けられ前記ドアの底面または上面に対面するベースとを具備するドア装置において、前記ベースは、前記ドアの底面または上面に対して接近可能及び離間可能に設けられた可動部材と、前記ドアが前記構造物の前記開口部を閉鎖するときに作動して前記可動部材を前記ドアの底面または上面に接近させることにより、前記ドアの底面または上面と前記ベースとの間の隙間量を減少または消失させる可動部材作動手段とを具備することを特徴とするものである。
【０００７】
本発明に係るドア装置によれば、ドアが構造物の開口部を閉鎖するときに可動部材作動手段が作動し、可動部材をドアの底面または上面に接近させることにより、ドアの底面または上面とベースとの間の隙間量を減少または消失させる。これにより隙間を介しての音の伝播、光の漏洩が抑えられる。
【０００８】
ドアには肉厚及び重量の制約がある。可動部材及び可動部材作動手段をドア側に設けると、前述したようにドアの肉厚及び重量の増加を招くため、好ましくない。そこで本発明に係るドア装置によれば、可動部材及び可動部材作動手段は、構造物の開口部に取り付けられるベースに設けられている。このためドアの厚肉化及びドアの重量増加が抑制されている。ドアは部品を搭載するスペース上の制約が多い。これに対してベースは、構造物の開口部に取り付けられるものであり、ドアと異なり、部品を搭載するスペース上の制約が少ない。
【０００９】
本発明に係るドア用ベースは、構造物の開口部を開閉可能なドアの底面または上面に対面するように前記構造物の開口部に取り付けられるドア用ベースにおいて、前記ベースは、前記ドアの底面または上面に対して接近可能及び離間可能に設けられた可動部材と、前記ドアが前記構造物の前記開口部を閉鎖するときに作動して前記可動部材を前記ドアの底面または上面に接近させることにより、前記ドアの底面または上面と前記ベースとの間の隙間量を減少または消失させる可動部材作動手段とを具備することを特徴とするものである。
【００１０】
本発明に係るドア用ベースによれば、ドアが構造物の開口部を閉鎖するときに可動部材作動手段が作動し、可動部材をドアの底面または上面に接近させることにより、ドアの底面または上面とベースとの間の隙間量を減少または消失させる。これにより隙間を介しての音の伝播、光の漏洩が抑えられる。更に本発明に係るドア装置によれば、可動部材及び可動部材作動手段は、構造物の開口部に取り付けられるベースに設けられている。このためドアの厚肉化及びドアの重量増加が抑制されている。
【発明の効果】
【００１１】
本発明によれば、可動部材及び可動部材作動手段はドア側ではなく、ベースに設けられているため、ドアの厚肉化、ドアの重量増加を抑制することができる。
【００１２】
このため開閉動作の円滑性を確保するためにドアの底面に車輪を取り付ける場合であっても、車輪の存在により、ドアのドア底面側に可動式の遮音部材を取り付ける設計の自由度が制約されてしまうことを防止できる。またドア内外の通気性を高めるためにドアの底面付近に通気孔を形成する場合であっても、ドアの底面付近に形成する通気孔の位置、通気孔の通気断面積についての設計の自由度が制約されてしまうことを防止できる。
【発明を実施するための最良の形態】
【００１３】
ドア装置は、構造物の開口部に取り付けられるベースと、構造物の開口部を開閉可能なドアとを備える。構造物としては、家屋やビル等の建築物、車両等の移動体を例示できる。開口部は、人が出入りする開口部（出入口）が挙げられるが、人が出入りしない換気用の開口部でも良い。ベースとしては、構造物の開口部のうち、ドアの底面または上面に対面するように取り付けられているものであり、ドア枠を例示できる。
【００１４】
ドアの閉鎖を検出するドア閉鎖検出手段が設けられている形態を例示できる。この場合、可動部材作動手段は、ドア閉鎖検出手段の検出に伴い可動部材を作動させて、ドアの底面または上面とベースとの間の隙間を減少または消失させることができる。ドア閉鎖検出手段としては機械式でも良い。あるいは、ドアの閉鎖に基づく磁気、光等、静電気等の物理量の変化を検出するセンサでも良い。可動部材は移動することにより、ドアの底面または上面とベースとの間の隙間を減少または消失させるものである。可動部材としては例えばゴムや樹脂等の有機高分子系材料を基材として形成できる。
【００１５】
可動部材作動手段としては、構造物の開口部を閉鎖しているドアが開放される開放初期には、可動部材をドアの底面または上面に非接触とする形態を例示できる。この場合、ドアが開放される開放初期には、可動部材はドアの底面または上面に非接触となるため、可動部材とドアの底面または上面との間の摩擦抵抗が抑えられる。従って閉鎖状態のドアを開放させる動作が円滑に確保される。
【実施例１】
【００１６】
以下、本発明を具体化した実施例１について図１〜図３を参照して具体的に説明する。図１は引き戸式のドアの概念を示す正面図であり、図２はドアの下側付近の概念を示す拡大構成図であり、図３はドアの下側付近をドア肉厚方向に沿って切断した概念を示す断面図である。各図は概念図であり、細部構造まで規定するものではない。図１に示すように、ドア装置１は、家屋や集合住宅等の構造物２において人が出入りする開口部２０に取り付けられるベースとして機能するドア枠３と、構造物２の開口部２０を開閉可能なドア４とを備えている。ドア枠３は、水平方向に延設された上枠部３１と、水平方向に延設された下枠部３２と、上枠部３１及び下枠部３２に一体的に設けられた側枠部３３とを有する。ドア４はドア枠３に取り付けられており、矢印Ａ１，Ａ２方向に開閉する引き戸方式であり、２枚１組で形成されており、ドア４を施錠する施錠部４７を有する。ドア４は、ドア枠３の上枠部３１に対面する上端部４１と、下枠部３２に対面する下端部４２と、側枠部３３に対面する側端部４３とを有する。ドア４の底面４４には、矢印Ａ１，Ａ２方向への開閉動作を円滑にすべく、回転ローラ式の車輪４５が複数個装備されている。
【００１７】
図３に示すように、ドア４の底面４４とドア枠３の下枠部３２との間には隙間量ΔＥが形成されている。ドア枠３の下枠部３２は、ドア４の車輪４５を受けて回転させるスライドレール部３４が設けられている。スライドレール部３４は矢印Ａ１，Ａ２方向に延設されている。更に、ドア枠３の下枠部３２は収容室３２ｃを有しており、その収容室３２ｃ内に治具８が取り付けられている。治具８は、矢印Ｙ１及びＹ２方向に昇降可能な可動部材５と、可動部材５を昇降させる可動部材作動手段６とを備えている。図３に示すように、可動部材５は、金属製の第１可動部材５１と、第１可動部材５１に上向きに保持されたゴムまたは樹脂等の有機系高分子材料で形成された第２可動部材５２とで形成されている。第２可動部材５２は中空構造とされており、第２可動部材５２とドア４の底面４４との密着シール性を高めるべく、中空室５２ｍを有する。
【００１８】
図２に示すように、可動部材作動手段６は、収容室３２ｃに収容されたバネ部材６１と、バネ部材６１を作動させる作動子６２とを備えている。バネ部材６１は、複数の曲成部６１ｃを有する蛇行状をなす板バネとされており、下枠部３２の収容室３２ｃの延設方向に沿って延設されている。作動子６２は、矢印Ｓ１，Ｓ２方向に移動可能に設けられている。バネ部材６１の先端部６１ｅと作動子６２とは接触係合していると共に、作動子６２の操作端６２ｃが外方に突出するように設けられている。
【００１９】
可動部材作動手段６が非作動のとき、つまり、ドア４が完全に閉鎖されていないドア４の非閉鎖時には、図３に実線で示すように、第２可動部材５２の上端面５２ｕの高さ位置は、ドア枠３の下枠部３２の上端面３２ｕの高さ位置とは対応する位置とされ、第２可動部材５２は退避位置Ｗ２とされている。ここで、『第２可動部材５２の上端面５２ｕの高さ位置がドア枠３の下枠部３２の上端面３２ｕの高さ位置とは対応する』とは、第２可動部材５２の上端面５２ｕの高さ位置がドア枠３の下枠部３２の上端面３２ｕの高さ位置に一致する形態、第２可動部材５２の上端面５２ｕの高さ位置がドア枠３の下枠部３２の上端面３２ｕの高さ位置よりも所定寸法低い形態を含む。ここで、所定寸法は一般的には４ミリメートル以内である。ここで、人の出入り時におけるバリアフリー性を考慮すると、退避位置Ｗ２において、第２可動部材５２の上端面５２ｕの高さ位置がドア枠３の下枠部３２の上端面３２ｕの高さ位置と一致しているか、低い方が好ましい。この場合、人の出入り時において障害性が低減される。
【００２０】
図２に示すように、ドア枠３の側枠部３３には、ドア４の閉鎖により応答してドア４の閉鎖を検出するドア閉鎖検出手段７が設けられている。ドア閉鎖検出手段７は機械式であり、枢支部７３を中心として矢印Ｍ１，Ｍ２方向に揺動可能に設けられた揺動体７４と、揺動体７４の一端側に設けられ閉鎖方向（矢印Ａ１方向）に移動するドア４の側端部４３により押圧される受圧部７５と、揺動体７４の他端側に設けられ操作端６２ｃを介して作動子６２を押圧する押圧部７６とを有する。可動部材作動手段６のバネ部材６１の付勢力により、揺動体７４は矢印Ｍ２方向（待機方向）に常時付勢されている。この場合、ドア閉鎖検出手段７の受圧部７５は、ドア枠３の側枠部３３からドア４の側端部４３へ向かって３〜８ミリメートル程度突出している。
【００２１】
ドア４が矢印Ａ１方向に移動して閉鎖されると、ドア４の側端部４３がドア閉鎖検出手段７の受圧部７５を押圧するため、揺動体７４が枢支部７３を中心として作動方向（矢印Ｍ１方向）に揺動し、揺動体７４の押圧部７６が作動子６２の操作端６２ｃを操作方向（矢印S１方向）に移動させる。すると、バネ部材６１の曲成部６１ｃが作動子６２により変形され、バネ部材６１は可動部材５を上方向（矢印Ｙ１方向）に移動させる。これによりドア４が開口部２０を閉鎖するとき、可動部材５をドア４の底面４４に接近または接触させる。即ち、可動部材５は図３に一点鎖線で示した使用位置Ｗ１とされる。この結果、ドア４の底面４４とドア枠３の下枠部３２との間の隙間量ΔＥを減少または消失させることができる。このように可動部材５が使用位置Ｗ１に設定されているときには、可動部材５はドア４の底面４４に接近または接触しているため、ドア４の底面４４とドア枠３の下枠部３２との間から音が漏れたり、光が漏れたりすることが抑えられ、遮音性及び遮光性が高まる。
【００２２】
本実施例によれば、ドア４の側端部４３がドア枠３の側枠部３３に接触または接近し、ドア４の閉鎖が完了またはほぼ完了するとき、ドア４の側端部４３がドア閉鎖検出手段７の受圧部７５を押圧する。このため、揺動体７４が枢支部７３を中心として揺動し、作動子６２が操作方向（矢印S１方向）に移動し、バネ部材６１によって第２可動部材５２を上方向（矢印Ｙ１方向）に移動させて底面４４に接近または接触させることにしている。このためドア４が閉鎖途中のときにおいては、第２可動部材５２の上端面５２ｕはまだドア４の底面４４に接触していない。この場合、ドア４に対する摩擦抵抗が高まることが抑えられ、開放状態のドア４を閉鎖させる動作の円滑性が確保される。
【００２３】
また、閉鎖されている状態のドア４が開放されるときには、ドア４が開放される開放初期には、ドア４の側端部４３がドア閉鎖検出手段７の受圧部７５から離間するため、受圧部７５の受圧が解除され、バネ部材６１のバネ復元力により作動子６２が逆方向つまり矢印Ｓ２方向に移動すると共に、可動部材５が下方向（矢印Ｙ２方向）に移動する。この結果、ドア４が開放される開放初期には、可動部材５はドア４の底面４４に非接触となるため、可動部材５とドア４の底面４４との間の摩擦抵抗が抑えられる。従って閉鎖状態のドア４を開放させる動作が円滑に確保される。
【００２４】
以上説明したように本実施例によれば、可動部材５及び可動部材作動手段６がドア４の底面４４ではなく、ドア枠３側に設けられている。このため可動部材５及び可動部材作動手段６をドア４に設けずとも良く、ドア４の厚肉化及びドア４の重量増加が抑制されている。
【００２５】
本実施例によれば、ドア４の開閉動作の円滑性を確保するためにドア４の底面４４に車輪４５を取り付けている。この場合、車輪４５の存在により、ドア４の底面４４側に従来技術のような可動式の遮音部材を取り付ける設計の自由度が制約されてしまうことを防止できる。このためドア４の底面４４に車輪４５を取り付けているにも拘わらず、可動部材５を取り付ける設計の自由度が確保される。
【００２６】
更に本実施例によれば、退避位置Ｗ２において、第２可動部材５２の上端面５２ｕの高さ位置がドア枠３の下枠部３２の上端面３２ｕの高さ位置とは対応するように設定されているため、バリアフリー構造を達成できる。
【実施例２】
【００２７】
図４は本発明の実施例２の概念図を示す。本実施例は実施例１と基本的には同様の構成、作用効果を有する。以下、相違する部分を中心として説明する。図４に示すように、第２可動部材５２は中実構造とされている。従って、開口部２０を人が出入りするとき、第２可動部材５２の過剰変形は抑えられており、バリアフリー性が向上している。更に、第２可動部材５２は退避位置Ｗ２とされているときには、図４に示すように、第２可動部材５２の上端面５２ｕの高さ位置がドア枠３の下枠部３２の上端面３２ｕの高さ位置にほぼ一致し、バリアフリー構造が確保されている。
【実施例３】
【００２８】
図５は本発明の実施例３の概念図を示す。本実施例は実施例１と基本的には同様の構成、作用効果を有する。図５に示すように、本実施例においても、第２可動部材５２は中空構造とされている。図５に示すように、第２可動部材５２が退避位置Ｗ２に設定されているとき、第２可動部材５２の上端面５２ｕの高さ位置がドア枠３の下枠部３２の上端面３２ｕの高さ位置にほぼ一致する。更に、第２可動部材５２の延設方向と交差する方向（矢印Ｘ方向）において、第２可動部材５２の上端面５２ｕの側端と下枠部３２の内壁面との間の隙間ΔＣはできるだけ狭く設定されている。これによりバリアフリー性が一層確保されている。なお隙間ΔＣは例えば５ミリメートル以下または３ミリメートル以下に設定されている。
【実施例４】
【００２９】
図６は本発明の実施例４の概念図を示す。本実施例は実施例１と基本的には同様の構成、作用効果を有する。図６に示すように、本実施例においても、第２可動部材５は中空構造とされている。第２可動部材５２が退避位置Ｗ２に設定されているときには、第２可動部材５２の上端面５２ｕの高さ位置がドア枠３の下枠部３２の上端面３２ｕの高さ位置にほぼ一致する。更に、図６に示すように、第２可動部材５２の上端面５２ｕの側端には、ドア枠３の下枠部３２の内壁面に向かうように膨出する膨出部５４が形成されている。従って、第２可動部材５２が退避位置Ｗ２に設定されているときには、矢印Ｘ方向において、第２可動部材５２の側端と下枠部３２の内壁面との間の隙間はかなり小さくされている。これによりバリアフリー性が一層確保されている。
【実施例５】
【００３０】
図７及び図８は本発明の実施例５の概念図を示す。本実施例は実施例１と基本的には同様の構成、作用効果を有する。ドア４の側端部４３には磁石部９０が取り付けられている。ドア４の閉鎖を検出するドア閉鎖検出手段として、磁気検出用のセンサ９１がドア枠３の側枠部３３に設けられている。更にドア枠３の下枠部３２には可動部材作動手段６が設けられている。可動部材作動手段６は、下枠部３２の収容室３２ｃに収容され複数の曲成部６１ｃを有するバネ部材６１と、バネ部材６１を作動させる作動子６２と、作動子６２を前進後退させることにより可動部材５を上昇または下降させるためのモータ等のアクチュエータ６９とを有する。ドア４がＡ１方向に移動してドア４の閉鎖が完了すると、センサ９１が磁石部９０の磁気に基づいてこれを検出する。センサ９１が検出したドア閉鎖信号はコントローラ９２に入力され、コントローラ９２によりアクチュエータ６９が駆動して作動子６２を矢印Ｓ１方向に前進移動させる。これにより第２可動部材５２を上方向（矢印Ｙ１方向）に移動させ、第２可動部材５２の上端面５２ｕをドア４の底面４４に接近または接触させる。この結果、ドア４の閉鎖時には、ドア４の底面４４と下枠部３２との間の隙間量を減少または消失させることができる。このためドア４の底面４４と下枠部３２との間から音が漏れたり、光が漏れたりすることが抑えられ、遮音性及び遮光性が高まる。コントローラ９２はドア枠３（側枠部３３）または構造物２に設けられている。
【００３１】
閉鎖状態のドア４が開放されるときには、センサ９１が磁石部９０の磁気に基づいてこれを検出するため、アクチュエータ６９が逆方向に駆動して作動子６２を矢印Ｓ１方向と逆方向に後退移動させ、可動部材５を下方向（矢印Ｙ２方向）に移動させる。この結果、ドア４が開放される開放初期には、第２可動部材５２はドア４の底面４４に非接触となるため、第２可動部材５２とドア４の底面４４との間の摩擦抵抗が抑えられる。従って閉鎖状態のドア４を開放させる動作の円滑に確保される。
【実施例６】
【００３２】
図９は本発明の実施例６の概念図を示す。本実施例は実施例１と基本的には同様の構成であり、同様の作用効果を有する。以下、異なる部分を中心として説明する。本実施例によれば、ドア枠３の上枠部３１には、ドア４をゴムまたは樹脂等の有機系高分子材料で形成されたガイド部材４００を介して支えるスライドレール部３４Ｕが設けられている。スライドレール部３４Ｕはドア４の開閉方向に沿って延設されている。更に、ドア枠３の上枠部３１は収容室３１ｃを有する。その収容室３１ｃ内に治具８が配置されている。治具８は、矢印Ｙ１ａ及びＹ２ａ方向に昇降可能な可動部材５と、可動部材５を下降させる可動部材作動手段６とを備えている。図９に示すように、可動部材５は、金属製の第１可動部材５１と、第１可動部材５１に下向きに保持されたゴムまたは樹脂等の有機系高分子材料で形成された第２可動部材５２とで形成されている。
【００３３】
ドア４が閉鎖されると、実施例１と同様に、バネ部材６１は可動部材５を下方向（矢印Ｙ２ａ方向）に移動させる。これによりドア４が開口部２０を閉鎖するときには、可動部材５の第２可動部材５２の下面５２ｄをドア４の上面４６に接近または接触させ、可動部材５を使用位置Ｗ１とする。この結果、ドア４の上面４６とドア枠３の上枠部３１との間の隙間量ΔＥ２（図９参照）を減少または消失させることができる。このように可動部材５が使用位置Ｗ１に設定されているとき、第２可動部材５２の下端５２ｄはドア４の上面４６に接近または接触するため、ドア４の上面４６とドア枠３の上枠部３１との間から音が漏れたり、光が漏れたりすることが抑えられ、遮音性及び遮光性が高まる。
【実施例７】
【００３４】
図１０は本発明の実施例７の概念図を示す。本実施例は実施例１と基本的には同様の構成であり、同様の作用効果を有する。以下、異なる部分を中心として説明する。本実施例によれば、ドア４Ｂはこれの側辺部がヒンジ部により回動可能に枢支されている回転式ドアである。ドア４Ｂの底面４４付近には、換気のためドア４の内外を連通させる通気孔４８が形成されている。通気孔４８は、ドア４の底面４４に開口する開口部４８ａと、ドア４の表面に開口する開口部４８ｂと、開口部４８ａ，４８ｂを連通させる連通路４８ｃとを有する。
【００３５】
仮に、ドア４の底面４４付近に可動部材５及び可動部材作動手段６が内蔵されていると、ドア４の底面４４付近に形成する通気孔４８の位置、通気孔４８の通気断面積についての設計の自由度が制約されてしまう。この点について本実施例によれば、可動部材５及び可動部材作動手段６はドア４の底面４４付近ではなく、ドア枠３の下枠部３２内に設けられているため、ドア内外の通気性を高めるためにドア４の底面４４付近に通気孔４８を形成するときであっても、ドア４の底面４４付近に形成する通気孔４８の位置、通気孔４８の通気断面積についての設計の自由度が制約されてしまうことを防止できる。更に、第２可動部材５２の上端面５２ｕがドア４の底面４４に密接したとしても、ドア４で仕切られた第１空間８１と第２空間８２との通気性が通気孔４８によって確保される。
【実施例８】
【００３６】
図１１〜図１３は本発明の実施例８の概念図を示す。本実施例は実施例１と基本的には同様の構成であり、同様の作用効果を有する。以下、異なる部分を中心として説明する。本実施例によれば、図１１〜図１３に示すように、ドア装置１Ｃは、開閉に必要なスペースが小さくされた回転式のインスライドドアである。このドア装置１Ｃは、構造物２の開口部２０を開閉可能なドア４Ｃと、構造物２の開口部２０に取り付けられドア４Ｃの底面４４に対面するベースとして機能するドア枠３Ｃとを備えている。ドア４Ｃは主ドア４１０とスイングアーム４２０との組合せで形成されている。スイングアーム４２０は、スイングアーム４２０の一端部４２０ａをドア枠３Ｃの側枠部３３Ｃに揺動可能に枢支する第１枢支部４２１と、スイングアーム４２０の他端部４２０ｂを主ドア４１０に揺動可能に枢支する第２枢支部４２２とを有する。ドア枠３Ｃは、ドア４Ｃの底面４４に対面する下枠部３２Ｃと、側枠部３３Ｃと、上枠部（図示せず）とを有する。下枠部３２Ｃは、ドア４Ｃの底面４４に対して接近可能及び離間可能に設けられた可動部材５と、ドア４が構造物２の開口部２０を閉鎖するときに作動して可動部材５をドア４Ｃの底面４４に接近させる可動部材作動手段６とを有する。
【００３７】
本実施例においても、ドア４Ｃが開口部２０を閉鎖すると、第２可動部材５２の上端面５２ｕをドア４Ｃの底面４４に接近または接触させる。この結果、ドア４Ｃの閉鎖時には、ドア４Ｃの底面４４と下枠部３２Ｃとの間の隙間量を減少または消失させることができる。このためドア４Ｃの底面４４と下枠部３２Ｃとの間から音が漏れたり、光が漏れたりすることが抑えられ、遮音性及び遮光性が高まる。
【実施例９】
【００３８】
図１４,図１５は本発明の実施例９の概念図を示す。本実施例は実施例１と基本的には同様の構成であり、同様の作用効果を有する。以下、異なる部分を中心として説明する。本実施例によれば、図１４及び図１５に示すように、ドア装置１Ｄは、開閉に必要なスペースが小さくされた中折れ式である。このドア装置１Ｄは、構造物２の開口部２０を開閉可能なドア４Ｄと、構造物２の開口部２０に取り付けられドア４Ｄの底面４４に対面するベースとして機能するドア枠３Ｄを備えている。ドア枠３Ｄは、ドア４Ｄの底面４４に対面する下枠部３２Ｄと、側枠部３３Ｄと、上枠部（図示せず）とを有する。ドア４Ｄは、境界域４５２で中折れ可能とされた第１ドア４５０及び第２ドア４６０と、第２ドア４６０の他端部を側枠部３３Ｄに揺動可能に枢支する枢支部４６２Ｄとを有する。下枠部３２Ｄは、ドア４Ｄの底面４４に対して接近可能及び離間可能に設けられた可動部材５と、ドア４Ｄが構造物２の開口部２０を閉鎖するときに作動して可動部材５をドア４Ｄの底面４４に接近させる可動部材作動手段６とを有する。
【００３９】
本実施例においても、ドア４Ｄが開口部２０を閉鎖すると、第２可動部材５２の上端面５２ｕをドア４Ｄの底面４４に接近または接触させる。この結果、ドア４Ｄの閉鎖時には、ドア４Ｄの底面４４と下枠部３２Ｄとの間の隙間量を減少または消失させることができる。このためドア４Ｄの底面４４と下枠部３２Ｄとの間から音が漏れたり、光が漏れたりすることが抑えられ、遮音性及び遮光性が高まる。
【００４０】
そのほか、本発明は上記し且つ図面に示した実施例のみに限定されるものではなく、要旨を逸脱しない範囲内で適宜変更して実施できるものである。なお、図３〜図６において、ドア４の右側部分の肉厚を厚肉に描いてあるが、当該部分を薄肉（例えば、ドア４の左側部分の肉厚と同じ）にしたり、中空構造にしたりすることで、ドアの厚肉化、ドアの重量増加を更に抑制することが可能となる。このようにドア４を薄肉にする場合には、それに対応させて収容室３２ｃ、可動部材５及び可動部材作動手段６等を所定の大きさに形成する必要がある。また、図９及び図１０に示したドア装置についても、前述した図３〜図６に示したドア装置と同様のことが言える。
【産業上の利用可能性】
【００４１】
本発明はトイレ室、勉強部屋、寝室、客室、居間、業務室、オーディオ室、コンピュータ室等といった防音性が特に要請される室に取り付けられるドア装置に利用することができる。
【図面の簡単な説明】
【００４２】
【図１】実施例１に係り、引き戸式のドアの正面図である。
【図２】実施例１に係り、ドアの下側付近の拡大構成図である。
【図３】実施例１に係り、ドアの下側付近をドア肉厚方向に沿って切断した断面図である。
【図４】実施例２に係り、ドアの下側付近をドア肉厚方向に沿って切断した断面図である。
【図５】実施例３に係り、ドアの下側付近をドア肉厚方向に沿って切断した断面図である。
【図６】実施例４に係り、ドアの下側付近をドア肉厚方向に沿って切断した断面図である。
【図７】実施例５に係り、引き戸式のドアの正面図である。
【図８】実施例５に係り、ドアの下側付近の拡大構成図である。
【図９】実施例６に係り、ドアの上側付近をドア肉厚方向に沿って切断した断面図である。
【図１０】実施例７に係り、回転式のドアの下側付近をドア肉厚方向に沿って切断した断面図である。。
【図１１】実施例８に係り、ドアが開放されている状態の平面図である。
【図１２】実施例８に係り、ドアが開放または閉鎖されている途中状態の平面図である。
【図１３】実施例８に係り、ドアが閉鎖されている状態の平面図である。
【図１４】実施例９に係り、ドアが開放されている状態の平面図である。
【図１５】実施例９に係り、ドアが閉鎖されている状態の平面図である。
【符号の説明】
【００４３】
図中、１はドア装置、２は構造物、２０は開口部、３はドア枠（ベース）、３２は下枠部、４はドア、４４は底面、４５は車輪、４６は上面、４８は通気孔、５は可動部材、５２は第２可動部材、６は可動部材作動手段、６１はバネ部材、６２は作動子、９１はセンサ（ドア閉鎖検出手段）を示す。
【図１】
2006089920.tif 000003
【図２】
2006089920.tif 000004
【図３】
2006089920.tif 000005
【図４】
2006089920.tif 000006
【図５】
2006089920.tif 000007
【図６】
2006089920.tif 000008
【図７】
2006089920.tif 000009
【図８】
2006089920.tif 000010
【図９】
2006089920.tif 000011
【図１０】
2006089920.tif 000012
【図１１】
2006089920.tif 000013
【図１２】
2006089920.tif 000014
【図１３】
2006089920.tif 000015
【図１４】
2006089920.tif 000016
【図１５】
2006089920.tif 000017